(57)【要約】【課題】種々の問題を解決する手段を提供すること。【解決手段】再生システム１は、スピーカー装置２と、スマートフォン３〜５と、を備える。スピーカー装置２は、コンテンツの再生順を示す再生キューに従って、コンテンツを再生する。スピーカー装置２は、制御部を備える。制御部は、スマートフォン３〜５から送信されるコンテンツを再生キューに追加する。制御部は、再生キューの最初のコンテンツから、再生部にコンテンツを再生させる。【選択図】図２
2020201442.tif 000002
【特許請求の範囲】
【請求項１】
コンテンツの再生順を示す再生キューに従って、コンテンツを再生する再生装置であって、
端末装置から送信されるコンテンツを前記再生キューに追加し、前記再生キューの最初のコンテンツから、コンテンツを再生させる制御部を備えることを特徴とする再生装置。
【請求項２】
前記端末装置は、コンテンツのデータであるコンテンツデータと、コンテンツの情報であるコンテンツ情報と、を前記再生装置に送信することを特徴とする請求項１に記載の再生装置。
【請求項３】
前記制御部は、コンテンツのデータであるコンテンツデータと、コンテンツの情報であるコンテンツ情報と、を前記再生キューに追加することを特徴とする請求項１又は２に記載の再生装置。
【請求項４】
前記制御部は、コンテンツの再生が終了した場合、そのコンテンツを前記再生キューから削除することを特徴とする請求項１〜３のいずれか１項に記載の再生装置。
【請求項５】
前記制御部は、前記再生キューに変化があった場合、コンテンツの情報であるコンテンツ情報から構成される前記再生キューを前記端末装置に送信することを特徴とする請求項１〜４のいずれか１項に記載の再生装置。
【請求項６】
前記制御部は、前記端末装置から、前記再生キューの要求があった場合、前記端末装置に、コンテンツの情報であるコンテンツ情報から構成される前記再生キューを送信することを特徴とする請求項１〜５のいずれか１項に記載の再生装置。
【請求項７】
コンテンツの再生順を示す再生キューに従って、コンテンツを再生する再生装置に、コンテンツを送信することを特徴とする端末装置。
【請求項８】
請求項１〜６のいずれか１項に記載の再生装置と、
請求項７に記載の端末装置と、
を備えることを特徴とする再生システム。
【発明の詳細な説明】
【技術分野】
【０００１】
本発明は、スピーカー装置等の再生装置、端末装置、及び、再生システムに関する。
【背景技術】
【０００２】
複数のユーザーが、スマートフォン等を所持しており、スマートフォン等に記憶されているコンテンツを、１つの再生装置（例えば、スピーカー装置）に、再生させる場合がある。特許文献１には、スマートフォン等の携帯端末装置に記憶されているコンテンツのうち、例えば、最も多く記憶されているジャンルのコンテンツを記憶している携帯端末装置のコンテンツが再生される発明が開示されている。
【０００３】
上述のように、スマートフォン等に記憶されているコンテンツを、１つの再生装置に再生させる場合、従来技術においては、以下のような方法がある。
（１）コンテンツを再生するたびに、スマートフォンと再生装置とを接続するケーブルを接続し直す。
（２）コンテンツを再生するたびに、スマートフォンと再生装置とを無線接続している、例えば、Bluetooth（登録商標）（以下、「ＢＴ」という。）の接続を変更する。
（３）スマートフォンを同じネットワークに接続し、DMR（Digital Media Renderer）対応の再生装置に対して、個々のスマートフォンがDMS（Digital Media Server）となって、コンテンツを送信する。
【０００４】
ユーザーは、（１）の場合、毎回、ケーブルの接続、（２）の場合、毎回、ＢＴの接続を変更しなければならず、煩雑である。（３）の場合、スマートフォンにおいて、コンテンツの再生の順番が回ってくるまで、電源を入れておく必要がある。
【先行技術文献】
【特許文献】
【０００５】
【特許文献１】特開２０１６−１３０７５１号公報
【発明の概要】
【発明が解決しようとする課題】
【０００６】
上述したように、従来技術においては、種々の問題があった。
【０００７】
本発明の目的は、種々の問題を解決する手段を提供することである。
【課題を解決するための手段】
【０００８】
第１の発明の再生装置は、コンテンツの再生順を示す再生キューに従って、コンテンツを再生する再生装置であって、端末装置から送信されるコンテンツを前記再生キューに追加し、前記再生キューの最初のコンテンツから、コンテンツを再生させる制御部を備えることを特徴とする。
【０００９】
本発明では、制御部は、端末装置から送信されるコンテンツを再生キューに追加し、再生キューの最初のコンテンツから、コンテンツを再生させる。これにより、端末装置のユーザーは、再生キューにコンテンツを追加することで、所望のコンテンツを再生装置に再生させることができる。これにより、ユーザーは、ケーブル、無線接続を変更することなく、また、端末装置の電源を入れ続けることなく、所望のコンテンツを聴取することができる。このように、本発明によれば、種々の問題を解決することができる。
【００１０】
第２の発明の再生装置は、第１の発明の再生装置において、前記端末装置は、コンテンツのデータであるコンテンツデータと、コンテンツの情報であるコンテンツ情報と、を前記再生装置に送信することを特徴とする。
【００１１】
第３の発明の再生装置は、第１又は第２の発明の再生装置において、前記制御部は、コンテンツのデータであるコンテンツデータと、コンテンツの情報であるコンテンツ情報と、を前記再生キューに追加することを特徴とする。
【００１２】
第４の発明の再生装置は、第１〜第３のいずれかの発明の再生装置において、前記制御部は、コンテンツの再生が終了した場合、そのコンテンツを前記再生キューから削除することを特徴とする。
【００１３】
第５の発明の再生装置は、第１〜第４のいずれかの発明の再生装置において、前記制御部は、前記再生キューに変化があった場合、コンテンツの情報であるコンテンツ情報から構成される前記再生キューを前記端末装置に送信することを特徴とする。
【００１４】
第６の発明の再生装置は、第１〜第５のいずれかの発明の再生装置において、前記制御部は、前記端末装置から、前記再生キューの要求があった場合、前記端末装置に、コンテンツの情報であるコンテンツ情報から構成される前記再生キューを送信することを特徴とする。
【００１５】
第７の発明の端末装置は、コンテンツの再生順を示す再生キューに従って、コンテンツを再生する再生装置に、コンテンツを送信することを特徴とする。
【００１６】
第８の発明の再生システムは、第１〜第６のいずれかの発明の再生装置と、第７の発明の端末装置と、を備えることを特徴とする。
【発明の効果】
【００１７】
本発明によれば、種々の問題を解決することができる。
【図面の簡単な説明】
【００１８】
【図１】本発明の実施形態に係る再生システムの概要を示す図である。
【図２】再生システムの処理動作を示すシーケンス図である。
【発明を実施するための形態】
【００１９】
以下、本発明の実施形態について説明する。図１は、本発明の実施形態に係る再生システム１の概要を示す図である。図１に示すように、再生システム１は、スピーカー装置２と、スマートフォン３〜５と、を備える。スピーカー装置２は、コンテンツの再生順を示す再生キューに従って、コンテンツを再生する。
【００２０】
スピーカー装置２（再生装置）は、ＣＰＵ（Central Processing Unit）、ＤＳＰ（Digital Signal Processor）、Ｄ／Ａコンバーター（以下、「ＤＡＣ」という。）、増幅器、スピーカーユニット、無線モジュール等を備える。ＣＰＵ（制御部）は、スピーカー装置２を構成する各部を制御する。ＤＳＰは、デジタル音声信号に、各種の信号処理を行う。ＤＡＣは、ＤＳＰにより信号処理が行われたデジタル音声信号を、アナログ音声信号に、Ｄ／Ａ変換する。増幅器は、ＤＡＣによりＤ／Ａ変換されたアナログ音声信号を、増幅する。スピーカーユニットは、増幅器によって増幅されたアナログ音声信号に基づいて、音声を出力する。無線モジュールは、Bluetooth（登録商標）（以下、「ＢＴ」という。）規格に基づいて、ＢＴ通信（無線通信）を行う。例えば、ＤＳＰ、ＤＡＣ、増幅器により、コンテンツデータ（デジタル音声信号）の再生を行う再生部が構成される。
【００２１】
スマートフォン３〜５（端末装置）は、例えば、ＢＴ通信により、スピーカー装置２と無線通信を行う。スマートフォン３〜５は、異なる構成でもよいし、同一の構成でもよく、ここでは、同一の構成として、スマートフォン３について説明する。スマートフォン３は、コンテンツを記憶している。スマートフォン３は、ユーザーによるコンテンツの選択を受け付け、選択を受け付けたコンテンツを、スピーカー装置２に送信する。コンテンツは、コンテンツのデータであるコンテンツデータと、コンテンツのタイトル、アルバム名等の情報であるコンテンツ情報と、から構成される。従って、スマートフォン３は、コンテンツデータと、コンテンツ情報と、をスピーカー装置２に送信する。ここで、スマートフォン３からスピーカー装置２に、コンテンツ情報に加え、コンテンツデータそのものが送信されていることに留意されたい。
【００２２】
スピーカー装置２の制御部は、スマートフォン３〜５から送信されるコンテンツ（コンテンツデータ、及び、コンテンツ情報）を受信すると、コンテンツ（コンテンツデータ、及び、コンテンツ情報）を再生キューに追加する。制御部は、再生キューに変化があった場合、コンテンツ情報（メタ情報）のみから構成される再生キューを、スマートフォン３〜５、及び、再生部に送信する。また、制御部は、スマートフォン３〜５から、再生キューの要求があった場合、スマートフォン３〜５に再生キューを送信する。スピーカー装置２からスマートフォン３〜５に送信される再生キューは、コンテンツ情報のみから構成される。
【００２３】
スピーカー装置２の制御部は、コンテンツの再生順を示す再生キューに従って、再生部に、コンテンツを再生させる。具体的には、制御部は、再生キューの最初のコンテンツから、再生部に、コンテンツを再生させる。制御部は、再生キューの最初（先頭）のコンテンツを順次、再生部に再生させ、再生が完了して、そのコンテンツが不要になった場合、コンテンツ（コンテンツデータを含む）を削除（破棄）する。
【００２４】
以下、コンテンツの追加、再生、再生完了までの再生システム１の処理動作を、図２に示すシーケンス図に基づいて説明する。スマートフォン３〜５は、再生キューをスピーカー装置２に要求する（１）。スピーカー装置２の制御部は、スマートフォン３〜５からの再生キューの要求を受信すると、再生キューをスマートフォン３〜５に送信する（２）。スマートフォン３〜５は、コンテンツをスピーカー装置２に送信する（３）。スピーカー装置２の制御部は、コンテンツを受信すると、受信したコンテンツを再生キューに追加する。制御部は、再生キューの変化を再生部に通知する（４）。また、制御部は、再生キューの変化をスマートフォン３〜５に通知する（５）。
【００２５】
スマートフォン３〜５は、再生キューの変化が、スピーカー装置２から通知されると、スピーカー装置２に、再生キューを要求する（６）。スピーカー装置２の制御部は、スマートフォン３〜５からの再生キューの要求を受信すると、再生キューをスマートフォン３〜５に送信する（７）。また、制御部は、再生キューの最初のコンテンツを、再生部に再生させる。再生部が、再生を開始すると（８）、制御部は、再生開始をスマートフォン３〜５に通知する（９）。
【００２６】
スピーカー装置２の再生部が、再生を完了すると（１０）、制御部は、再生完了通知（１１）により、再生を完了したコンテンツを、再生キューから削除する（１２）。また、制御部は、再生完了をスマートフォン３〜５に通知する（１３）。
【００２７】
以上説明したように、本実施形態では、スピーカー装置２の制御部は、端末装置から送信されるコンテンツを再生キューに追加し、再生キューの最初のコンテンツから、コンテンツを再生させる。これにより、スマートフォン３〜５のユーザーは、再生キューにコンテンツを追加することで、所望のコンテンツをスピーカー装置２に再生させることができる。これにより、ユーザーは、ケーブル、無線接続を変更することなく、また、スマートフォン３〜５の電源を入れ続けることなく、所望のコンテンツを聴取することができる。このように、本発明によれば、種々の問題を解決することができる。
【００２８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２９】
上述の実施形態においては、再生システム１を構成する再生装置として、スピーカー装置２を例示した。これに限らず、再生装置は、ＡＶレシーバー等であってもよい。また、端末装置として、スマートフォン３〜５を例示した。これに限らず、端末装置は、デジタルオーディオプレーヤー（ＤＡＰ）等であってもよい。
【産業上の利用可能性】
【００３０】
本発明は、スピーカー装置等の再生装置、端末装置、及び、再生システムに好適に採用され得る。
【符号の説明】
【００３１】
１  再生システム
２  スピーカー装置（再生装置）
３〜５  スマートフォン（端末装置）
【図１】
2020201442.tif 000003
【図２】
2020201442.tif 000004